(57)【特許請求の範囲】
【請求項１】
立ち上がり部を有する基礎を構築する基礎構築工程と、
基礎構築工程で構築された立ち上がり部の上側に、中空構造を有する剛性板で外面が形成された木造建築物を建築する木造工程と、
木造工程において前記剛性板を木造建築物の外面に貼った後、前記剛性板の外側に前記剛性板に沿って鉄筋を配置する配筋工程と、
配筋工程を終えた後、前記鉄筋よりもさらに外側に、前記剛性板と所定間隔を隔てて型枠を立てる型枠設置工程と、
型枠設置工程を終えた後、内枠となる前記剛性板と外枠となる前記型枠との隙間にコンクリートを流し込むコンクリート注入工程と、
前記コンクリートを養生させるコンクリート養生工程と、
を経て、木造建築物の外面を形成する前記剛性板に鉄筋コンクリート製の外壁を一体化させるとともに、内枠として使用された前記剛性板を完成後もそのまま残すことを特徴とする鉄筋コンクリート外装木造建築物の建築方法。
【請求項２】
前記剛性板が、中空構造を有する硬質樹脂パネルである請求項１記載の鉄筋コンクリート外装木造建築物の建築方法。
【請求項３】
基礎構築工程において、立ち上がり部の外周に沿って底版部が形成された基礎を構築し、
配筋工程において、基礎における底版部の上側に、前記剛性板に沿って鉄筋を配置する請求項１又は２記載の鉄筋コンクリート外装木造建築物の建築方法。
【請求項４】
木造工程において、木造建築物に対して一端側を固定された金具の他端側を前記剛性板から外方に突き出させ、配筋工程において前記金具の他端側と前記鉄筋とを連結するとともに、完成後も前記金具の全体をそのまま残す請求項１〜３いずれか記載の鉄筋コンクリート外装木造建築物の建築方法。
【請求項５】
前記鉄筋コンクリート製の外壁における前記木造建築物の窓又は扉に対応する部分に開口部を設け、前記外壁の外面に前記開口部を覆うための鋼製扉を取り付けるとともに、鋼製扉における前記外壁との接触部分に水密パッキンを設ける請求項１〜４いずれか記載の鉄筋コンクリート外装木造建築物の建築方法。
【請求項６】
前記型枠として外面に意匠が施された板を使用し、外枠として使用された前記型枠を完成後もそのまま残す請求項１〜５いずれか記載の鉄筋コンクリート外装木造建築物の建築方法。
【発明の詳細な説明】
【技術分野】
【０００１】
本発明は、津波による被害を抑えることも可能な鉄筋コンクリート外装木造建築物と、その建築方法とに関する。
【背景技術】
【０００２】
沿岸部の平地に建てられた建築物は、津波により甚大な被害を受けるおそれがある。昨年３月に発生した東日本大震災による被害状況は、１０メートルを超えるような高い津波が発生すると、殆どの木造建築物は跡形もなく押し流されてしまうことを物語っている。これに対し、鉄筋コンクリート造の建築物は、その形を保っているものも多く、木造建築物よりも津波に対して強いことが分かる。このため、耐津波を意識するならば、建築物は、木造よりも鉄筋コンクリート造とすべきであるといえる。
【０００３】
しかし、鉄筋コンクリート造の建築物は、同じ規模の木造建築物よりも建築コストが高くなるという欠点があった。また、家屋などにおいては、木の質感を好み、コンクリートの無機質な質感を嫌う人もいる。木の温もりを感じ取ることができて、鉄筋コンクリート並の強度を発揮でき、さらには鉄筋コンクリート造よりも建築コストを抑えることのできる家屋を建てることができればよいのであるが、このような三拍子そろった家屋は、これまでに提案されていない。
【０００４】
例えば、特許文献１には、外部が鉄筋コンクリート等の耐震構造とされ、その内部が木造等の非耐震構造とされた混構造の建築物が記載されている。これにより、増改築が容易であるという木造建築物の利点を鉄筋コンクリート造の建築物に取り込むことが可能になる。しかし、特許文献１の建築物は、鉄筋コンクリート造の壁体を構築した後に、当該壁体に対して木造部分を構築するものとなっている。このため、特許文献１の建築物は、一般的な鉄筋コンクリート建築物と同じかそれ以上の工期を要するため、建築コストが高くなる。
【０００５】
加えて、特許文献１の建築物は、鉄筋コンクリート造の壁体を構築する際に、その内側と外側に内枠と外枠の両方の型枠を設置しなければならず、手間を要する。特に、型枠を設置する際の各型枠の垂直出しには多大な手間を要する。そして、壁体のコンクリートを養生させた後には、内枠と外枠の両方を撤去しなければならないなど、このときにも手間を要する。撤去後の内枠や外枠を再利用できない場合には、産業廃棄物が大量に発生するという問題もある。
【０００６】
ところで、耐津波という観点では、これまでに以下のような技術が提案されている。例えば、特許文献２には、４本の支柱に対して家屋の四隅を昇降自在に係合させる技術が記載されている。これにより、津波が発生した際には、海水の浮力によって家屋を上昇させることができるとされている。しかし、この技術は、支柱の設置コストがかかるだけでなく、支柱によって家屋の外観が悪くなるおそれがある。また、津波が家屋に激しくぶつかった場合には、家屋が浮力により上昇するよりも前に倒壊するおそれもある。
【０００７】
また、特許文献３には、家屋が建てられた敷地をコンクリート壁と、水密仕様の門扉によって囲む技術が記載されている。特許文献３の技術を採用すると、津波が家屋の外壁に直接ぶつからないようにすることができるので、家屋が津波から受ける被害が小さくなると予想される。しかし、コンクリート壁を超える高さの津波に対しては、耐津波効果は著しく低下すると考えられる。高い津波にも耐えられるように、コンクリート壁を高くすると、家屋の日当たりや風通しが著しく悪化するだけでなく、建築コストが大幅に増大してしまう。
【０００８】
さらに、特許文献４には、金属板を溶接することにより家屋の一階部分の外壁を形成するとともに、外壁に設ける開閉部分を全て水密構造とする技術が記載されている。これにより、家屋内部へ水が浸入するのを防ぐことができるとされている。しかし、外壁が金属板で形成された家屋は、断熱性を確保しにくいという欠点がある。また、外壁の耐食性や耐候性を確保しにくい。さらには、外観が奇異で安っぽく、外観デザインの自由度も低いという欠点がある。
【先行技術文献】
【特許文献】
【０００９】
【特許文献１】特開平１１−３３６３４１号公報
【特許文献２】実開平０７−０１６８６１号公報
【特許文献３】特開平０８−０８６１１９号公報
【特許文献４】実登第３０６１２１２号公報
【発明の概要】
【発明が解決しようとする課題】
【００１０】
本発明は、上記課題を解決するためになされたものであり、断熱性に優れ、木の温もりを感じ取ることができて、鉄筋コンクリート並の強度を発揮でき、さらには鉄筋コンクリート造よりも建築コストを抑えることのできる鉄筋コンクリート外装木造建築物を提供するものである。また、この鉄筋コンクリート外装木造建築物の建築方法を提供することも本発明の目的である。
【課題を解決するための手段】
【００１１】
上記課題は、立ち上がり部を有する基礎を構築する基礎構築工程と、基礎構築工程で構築された立ち上がり部の上側に、中空構造を有する剛性板で外面が形成された木造建築物（柱や梁など、その構造躯体となる主な部分が木造であるという意味であり、それ以外の部分に木以外の材料が使用されていてもよい。）を建築する木造工程と、木造工程において前記剛性板を木造建築物の外面に貼った後、前記剛性板の外側に前記剛性板に沿って鉄筋を配置する配筋工程と、配筋工程を終えた後、前記鉄筋よりもさらに外側に、前記剛性板と所定間隔を隔てて型枠を立てる型枠設置工程と、型枠設置工程を終えた後、内枠となる前記剛性板と外枠となる前記型枠との隙間にコンクリートを流し込むコンクリート注入工程と、前記コンクリートを養生させるコンクリート養生工程とを経て、木造建築物の外面を形成する前記剛性板に鉄筋コンクリート製の外壁を一体化させるとともに、内枠として使用された前記剛性板を完成後もそのまま残すことを特徴とする鉄筋コンクリート外装木造建築物の建築方法を提供することによって解決される。
【００１２】
本発明の建築方法で建築された鉄筋コンクリート外装木造建築物は、木造建築物の外面を形成する剛性板に鉄筋コンクリート造の外壁が一体化された構造となっているため、非常に強度に優れ、激しい津波の圧力にも十分耐えることができるものとなっているだけでなく、木造建築物が浮かないようにすることもできる。また、鉄筋コンクリート造の外壁により、建築物の重量を増大させることができるので、建物全体が津波により押し流されるのを防ぐこともできる。さらには、鉄筋コンクリート造の外壁によって、従来の木造建築物よりも耐震性や耐火性を大幅に向上させることができる。さらにまた、本発明の建築方法で建築された鉄筋コンクリート外装木造建築物の内部は、従来の木造建築物と同様であるために、木の温もりや優れた吸湿性などの木造建築物の利点は損なわれない。加えて、鉄筋コンクリート造の外壁を構築している間に、内部（木造建築物部分）の内装などの工事を並行して進めることができるので、工期の短縮や建築コストの削減も可能になる。そして、木造建築物の外面を形成する剛性板は、中空構造を有しており、優れた断熱性を有している。本発明の鉄筋コンクリート外装木造建築物は、各種建築物として使用することができるが、なかでも、木の質感を好まれやすく、建築コストの低減に対する需要も高い、家屋（住宅など）に最適である。
【００１３】
本発明の鉄筋コンクリート外装木造建築物の建築方法において、木造建築物の外面を形成する前記剛性板は、中空構造を有するものであれば、その素材は特に限定されない。この剛性板の素材としては、樹脂、金属又は木材などが例示される。なかでも、この剛性板を、中空構造を有する硬質樹脂パネルで形成すると好ましい。これにより、剛性板を軽量で低コストで量産性に優れながらも、断熱性や強度に優れたものとすることができる。剛性板は、所定間隔を隔てて平行に配された表裏一対の板状部と、該一対の板状部を繋ぐ複数枚の壁部又は複数本の柱状部とで構成すると好ましい。このとき、前記壁部をハニカム状に形成したり、円筒状に形成したりすることもできる。これにより、剛性板の内部に断熱に寄与する中空部分（空気層）を効率的に形成するだけでなく、剛性板の強度を優れたものとすることができる。
【００１４】
また、本発明の鉄筋コンクリート外装木造建築物の建築方法において、基礎構築工程で形成する基礎は、立ち上がり部を有するものであれば特に限定されない。しかし、鉄筋コンクリート造の外壁と木造建築物との一体性をより高める、あるいは配筋工程を効率的に行うことなどを考慮すると、基礎構築工程において、立ち上がり部の外周に沿って底版部が形成された基礎を構築し、配筋工程において、基礎における底版部の上側に、前記剛性板に沿って鉄筋を配置すると好ましい。
【００１５】
さらに、本発明の鉄筋コンクリート外装木造建築物の建築方法では、その木造工程において、前記剛性板から外方に金具を突き出させ、配筋工程において、前記金具と前記鉄筋とを連結することも好ましい。金具と鉄筋の連結は、前記剛性板から外方に突出するＵ字ボルト（金具）の内側に鉄筋を通すなど、金具に鉄筋を直接的に連結する場合だけでなく、前記Ｕ字ボルト（金具）と鉄筋とを別の金具や針金などで結束するなど、金具に鉄筋を間接的に連結する場合も含む。これにより、鉄筋コンクリート造の外壁と木造建築物の外面（剛性板）との一体性をさらに高めることが可能になり、鉄筋コンクリート造の外壁に対して木造建築物をより浮きにくくすることが可能になる。加えて、得られる鉄筋コンクリート外装木造建築物の強度をさらに高めることができる。
【００１６】
さらにまた、本発明の鉄筋コンクリート外装木造建築物の構築方法では、前記鉄筋コンクリート製の外壁における前記木造建築物の窓又は扉に対応する部分に開口部を設け、前記外壁の外面に前記開口部を覆うための鋼製扉を取り付けることも好ましい。これにより、従来の木造建築物と同程度まで鉄筋コンクリート外装木造建築物の採光性や通気性を確保しながらも、耐津波性を維持することが可能になる。鋼製扉としては、開き戸タイプのものや、引き戸タイプのものが挙げられる。鋼製扉における外壁との接触部分に、ゴム製のパッキンなどを施して水密性を高めることも好ましい。
【発明の効果】
【００１７】
以上のように、本発明によって、断熱性に優れ、木の温もりを感じ取ることができて、鉄筋コンクリート並の強度を発揮でき、さらには鉄筋コンクリート造よりも建築コストを抑えることのできる鉄筋コンクリート外装木造建築物を提供することが可能になる。また、この鉄筋コンクリート外装木造建築物の建築方法を提供することも可能になる。
【図面の簡単な説明】
【００１８】
【図１】本発明の建築方法で建築されている家屋（鉄筋コンクリート外装木造建築物）であって、基礎構築工程を終えた直後の家屋の外観を示した斜視図である。
【図２】本発明の建築方法で建築されている家屋（鉄筋コンクリート外装木造建築物）であって、木造工程を終えた直後の家屋の外観を示した斜視図である。
【図３】本発明の建築方法で建築されている家屋（鉄筋コンクリート外装木造建築物）であって、配筋工程を行っている途中の家屋の外観を示した斜視図である。
【図４】本発明の建築方法の配筋工程において、鉄筋を木造家屋（木造建築物）の外面から突出して設けられた金具に連結した例を、家屋を水平に切断して前記金具の周辺を拡大した状態を示した断面図である。
【図５】本発明の建築方法で建築されている家屋（鉄筋コンクリート外装木造建築物）であって、型枠設置工程を終えた直後の家屋の外観を示した斜視図である。
【図６】本発明の建築方法で建築されている家屋（鉄筋コンクリート外装木造建築物）であって、コンクリート注入工程を終えた直後の家屋を水平に切断した状態を示した断面図である。
【図７】本発明の建築方法で建築されている家屋（鉄筋コンクリート外装木造建築物）であって、型枠撤去工程を終えた直後の家屋の外観を示した斜視図である。
【図８】本発明の建築方法で建築された家屋（鉄筋コンクリート外装木造建築物）の外観を示した斜視図である。
【図９】本発明の建築方法で建築された家屋（鉄筋コンクリート外装木造建築物）の施工方向を説明するための図である。
【図１０】本発明の建築方法で使用する剛性板の一例を該剛性板に垂直な面で切断した状態を示した断面図である。
【図１１】本発明の建築方法で使用する剛性板の他の例を該剛性板の一部を破断して描いた斜視図である。
【図１２】本発明の建築方法で使用する剛性板のさらに別の例を該剛性板の一部を破断して描いた斜視図である。
【発明を実施するための形態】
【００１９】
本発明の鉄筋コンクリート外装木造建築物及びその建築方法の好適な実施態様について、図面を用いてより具体的に説明する。本発明の鉄筋コンクリート外装木造建築物の建築方法は、上述したように各種の建築物を建築する際に使用することができるが、以下においては、耐津波性に優れた家屋（耐津波家屋）を建築する場合を例に挙げて説明する。本実施態様の建築方法では、基礎構築工程と、木造工程と、配筋工程と、型枠設置工程と、コンクリート注入工程と、コンクリート養生工程と、型枠撤去工程と、仕上工程とを経て、家屋を建築する。以下、これらの工程について順番に説明する。
【００２０】
［基礎構築工程］
図１は、本発明の建築方法で建築されている家屋１０であって、基礎構築工程を終えた直後の家屋１０の外観を示した斜視図である。基礎構築工程では、図１に示すように、立ち上がり部１１ａの外周に沿って底版部１１ｂ１が形成された基礎１１を構築する。基礎１１は、基礎構築用の型枠内に鉄筋を配置してコンクリートを流し込み、該コンクリートを養生させた後、型枠を撤去することにより構築される。図１を含む各図において、家屋１０におけるコンクリートで形成された部分は、網掛けのハッチングで示している。基礎１１は、立ち上がり部１１ａの内側の区画に底版部１１ｂ２が設けられていない「布基礎」であってもよいが、本実施態様では、立ち上がり部１１ａの内側の区画に底版部１１ｂ２が設けられた「べた基礎」を採用している。これにより、家屋１０の耐津波性や耐震性をさらに向上することができる。基礎１１の下側には図示省略の基礎杭を埋設し、該基礎杭を基礎１１と一体化させておくことも好ましい。これにより、津波などによって、家屋１０が基礎１１ごと浮き揚げられないようにし、家屋１０の耐津波性を高めることができる。基礎構築工程を終えると、木造工程を開始する。立ち上がり部１１ａよりも外側の底版部１１ｂ１には、後述する配筋工程で鉄筋１３を建てるための複数の穴１１ｃを所定間隔で設けている。
【００２１】
［木造工程］
基礎構築工程が完了すると、木造工程を開始する。図２は、本発明の建築方法で建築されている家屋１０であって、木造工程を終えた直後の家屋１０の外観を示した斜視図である。図２を含む各図において、木造家屋１２の屋根１２ａは、一部を破断して描いてある。木造工程では、図２に示すように、基礎１１における立ち上がり部１１ａの上側に、外面が中空構造を有する剛性板１２ｂによって形成された木造家屋１２を建築する。本実施態様の建築方法においては、剛性板１２ｂとして、中空構造を有する硬質樹脂パネルを採用している。図１０は、本発明の建築方法で使用する剛性板１２ｂの一の例を剛性板１２ｂに垂直な面で切断した状態を示した断面図である。図１１は、本発明の建築方法で使用する剛性板１２ｂの他の例を剛性板１２ｂの一部を破断して描いた斜視図である。図１２は、本発明の建築方法で使用する剛性板１２ｂのさらに別の例を剛性板１２ｂの一部を破断して描いた斜視図である。図１０〜１２において、剛性板１２ｂは、所定間隔を隔てて平行に配された表裏一対の板状部１２ｂ１，１２ｂ２と、一対の板状部１２ｂ１，１２ｂ２を繋ぐ複数枚の壁部１２ｂ３とで構成されている。図１０において、壁部１２ｂ３は、平板状に形成されており、図１１において、壁部１２ｂ３は、ハニカム状に形成されており、図１２において、壁部１２ｂ３は、円筒状（気泡緩衝材と同様の形状）に形成されている。板状部１２ｂ１，１２ｂ２と壁部１２ｂ３とで仕切られた空間は、中空部分（空気層）１２ｂ４となっており、家屋１０の断熱性の向上に寄与している。剛性板１２ｂは、必要に応じて複層構造又は複数枚重ねた構造としてもよい。
【００２２】
剛性板１２ｂを形成する樹脂の種類は、特に限定されず、熱可塑性樹脂又は熱硬化性樹脂のいずれも使用することができる。熱可塑性樹脂としては、ポリエチレン樹脂、ポリプロピレン樹脂、ポリ塩化ビニル樹脂、アクリロニトリル−ブタジエン−スチレン樹脂（ＡＢＳ樹脂）、ポリアミド樹脂、ポリカーボネート樹脂、ポリエチレンテレフタレート樹脂等の一般的な熱可塑性樹脂、これらの変性物、ポリマーアロイ、ブレンド物が挙げられる。また、熱硬化性樹脂としては、エポキシ樹脂、不飽和ポリエステル樹脂、フェノール樹脂、メラミン樹脂などが挙げられる。このような樹脂には、通常用いられる熱安定剤などの各種添加剤や着色剤または無機充填材等を必要に応じて含有してもよい。また、これらの樹脂には、強度向上などのために各種の強化繊維を含有することができる。強化用繊維としては、ガラス繊維、炭素繊維、アラミド繊維等が挙げられる。剛性板１２ｂの表裏面には、ことなる素材からなるシートを別途貼り付けてもよい。
【００２３】
剛性板１２ｂの厚みは、特に限定されないが、薄すぎると、中空部分１２ｂ４を確保しにくくなり、剛性板１２ｂの断熱性や強度を高めにくくなるおそれがある。このため、剛性板１２ｂの厚みは、通常、７ｍｍ以上とされる。剛性板１２ｂの厚みは、９ｍｍ以上であると好ましく、１２ｍｍ以上であるとより好ましい。一方、剛性板１２ｂが厚すぎると、コスト高を招くおそれがある。このため、剛性板１２ｂの厚さは、通常、３０ｍｍ以下とされる。剛性板１２ｂの厚さは、２０ｍｍ以下であると好ましく、１５ｍｍ以下であるとより好ましい。本実施態様の建築方法において、剛性板１２ｂの厚さは１２ｍｍとしている。板状部１２ｂ１，１２ｂ２のそれぞれの厚みは、通常１〜３ｍｍ、好ましくは１．５〜２．５ｍｍとされ、本実施態様の建築方法においては、２ｍｍとしている。
【００２４】
また、剛性板１２ｂを構成する壁部１２ｂ３の間隔も特に限定されない。しかし、壁部１２ｂ３の間隔が狭すぎると、やはり、中空部分１２ｂ４を確保しにくくなり、剛性板１２ｂの断熱性や強度を高めにくくなるおそれがある。このため、壁部１２ｂ３の間隔は、通常、３ｍｍ以上とされる。壁部１２ｂ３の間隔は、４ｍｍ以上であると好ましく、５ｍｍ以上であるとより好ましい。一方、壁部１２ｂ３の間隔が広すぎると、剛性板１２ｂの強度を維持しにくくなる。このため、壁部１２ｂ３の間隔は、通常、１５ｍｍ以下とされる。壁部１２ｂ３の間隔は、１０ｍｍ以下であると好ましく、７ｍｍ以下であるとより好ましい。本実施態様の建築方法において、壁部１２ｂ３の間隔は５ｍｍとしている。それぞれの壁部１２ｂ３の厚みは、通常１〜３ｍｍ、好ましくは１．５〜２．５ｍｍとされ、本実施態様の建築方法においては、２ｍｍとしている。
【００２５】
木造工程において、木造家屋１２は、この段階では、外壁の仕上げを行わず、剛性板１２ｂが外面に剥き出したままにしておく。木造家屋１２は、外面が剛性板１２ｂにより形成されるのであれば、その具体的な工法は限定されない。ツーバイフォーパネル工法などのパネル工法のほか、軸組工法（在来工法）において外面を剛性板貼りとする工法などが例示される。ところで、後述する配筋工程以降の各工程は、上述した木造工程が完了していなくても、少なくとも木造家屋１２の外面に剛性板１２ｂが貼られた状態であれば開始することができる。このように、配筋工程以降の各工程と木造工程とを並行して行うことで、工期を短縮することができる。
【００２６】
［配筋工程］
図３は、本発明の建築方法で建築されている家屋１０であって、配筋工程を行っている途中の家屋１０の外観を示した斜視図である。配筋工程では、図３に示すように、基礎１１における立ち上がり部１１ａよりも外側の底版部１１ｂ１の上面に設けられた穴１１ｃに、鉄筋１３を剛性板１２に対して平行となるように立てていく。使用する鉄筋１３の太さは、特に限定されないが、通常、直径が１３〜１６ｍｍ程度のものが使用される。図３の例では、隣り合う鉄筋１３は、独立した状態となっているが、水平方向に他の鉄筋やワイヤーなどを通し、鉛直に立てられた鉄筋１３を水平方向に連結することも好ましい。これにより、後述する鉄筋コンクリート造の外壁１４の強度をより高めることができる。また、図４に示すように、剛性板１２ｂから外方に突き出た金具１２ｆと鉄筋１３とを連結することも好ましい。図４は、鉄筋１３を木造家屋１２の外面から突出して設けられた金具１２ｆに連結した例を、木造家屋１２を水平に切断して金具１２ｆの周辺を拡大した状態を示した断面図である。図４の例では、木造家屋１２における梁１２ｄと柱１２ｅなどを接続するためのＵ字ボルト１２ｆ（金具）の内部に鉄筋１３を通すことにより、金具１２ｆと鉄筋１３を連結している。これにより、後述する鉄筋コンクリート造の外壁１４と木造家屋１２との一体性を高めることができる。
【００２７】
［型枠設置工程］
配筋工程が完了すると型枠設置工程を開始する。図５は、本発明の建築方法で建築されている家屋１０であって、型枠設置工程を終えた直後の家屋１０の外観を示した斜視図である。型枠設置工程では、図５に示すように、基礎１１における立ち上がり部１１ａ（図３を参照）よりも外側の底版部１１ｂ１の上側であって、鉄筋１３よりもさらに外側の部分に、型枠２０を鉛直に立てる。本実施態様において、型枠２０は、複数枚の合板２１（コンパネ）により構築しているが、家屋１０の完成後も型枠２０を残す場合には、サイディングボードなど、外面に意匠が施された板を使用してもよい。また、剛性板１２ｂと同様、中空構造を有する剛性板を使用してもよい。これにより、鉄筋コンクリート造の外壁の外側でも断熱を行うことが可能になる。型枠２０の垂直出し（鉛直出し）は、既に垂直出しが行われている木造家屋１２の外面を基準に行えばよいので容易である。型枠２０の内面と木造家屋１２の外面（剛性板１２ｂ）の外面との間隔Ｄ（図６を参照）は、特に限定されない。しかし、間隔Ｄが狭すぎると、得られる家屋１０の外壁１４の強度が低下するおそれがあるし、間隔Ｄが広すぎると、使用するコンクリート１４の量が膨大になり、建築コストが高くなるおそれがある。このため、間隔Ｄは、通常、５〜５０ｃｍ程度とされ、好ましくは、１０〜２０ｃｍ程度とされる。本実施態様において、間隔Ｄは１５ｃｍとしている。図２に示すように、木造家屋１２に窓や扉などの開口部１２ｃが設けられている場合には、後述するコンクリート注入工程において、開口部１２ｃの外側にコンクリート１４が流れ込まないように型枠２０を配置する。
【００２８】
［コンクリート注入工程及びコンクリート養生工程］
型枠設置工程が完了すると、コンクリート注入工程を開始する。図６は、本発明の建築方法で建築されている家屋１０であって、コンクリート注入工程を終えた直後の家屋１０を水平に切断した状態を示した断面図である。コンクリート注入工程では、図６に示すように、木造家屋１２の外面を形成する剛性板１２ｂと型枠２０との隙間にコンクリート１４を流し込む。木造家屋１２における開口部１２ｃ（図２を参照）は、コンクリート注入工程を開始するまでに、剛性板や鋼板などで塞いでおく。コンクリート注入工程において、コンクリート１４は、通常、所定高さ毎に又は所定区画毎に段階的に行う。注入するコンクリート１４としては、軽量コンクリートや普通コンクリートや重量コンクリートなど、各種のものを使用することができる。コンクリート注入工程が完了すると、コンクリート養生工程を開始し、コンクリート１４を養生させる。
【００２９】
［型枠撤去工程］
コンクリート養生工程が完了すると型枠撤去工程を開始する。図７は、本発明の建築方法で建築されている家屋１０であって、型枠撤去工程を終えた直後の家屋１０の外観を示した斜視図である。型枠撤去工程では、型枠２０（図６を参照）を取り外して、図７に示すように、コンクリート１４が剥き出しの状態とする。ただし、型枠２０として、サイディングボードなど、外面に意匠が施された板を使用する場合や、中空構造を有する剛性板など、断熱パネルを使用する場合には、型枠２０をそのまま残してもよい。一方、内枠として使用された木造家屋１２の剛性板１２ｂは、そのまま残した状態とする。この剛性板１２ｂにより、家屋１０の断熱性が向上する。また、通常の鉄筋コンクリート造の家屋を建築する際には廃棄されている内枠に相当する部分をそのまま材料として用いることができるので、廃材を削減することもできる。コンクリート１４は、木造家屋１２の外面を形成する剛性板１２ｂと一体化された状態となっており、鉄筋コンクリート造の外壁として、家屋１０の耐津波性や耐震性を大幅に向上させる。家屋１０の外壁１４における木造家屋１２の開口部１２ｃ（図２を参照）に重なる部分には、開口部１２ｃと略同一形状の開口部１４ａが設けられており、家屋１０の採光性や通気性を維持している。
【００３０】
［仕上工程］
型枠撤去工程が完了すると必要に応じて仕上工程を開始する。図８は、本発明の建築方法で建築された家屋１０（仕上工程を終えた家屋１０）の外観を示した斜視図である。家屋１０の外壁１４は、コンクリートの打ちっぱなしであってもよいが、必要に応じて、塗装処理などの各種処理を施すこともできる。また、バルコニーやウッドデッキなどのアクセサリーを取り付けることもできる。これらの処理は、この仕上工程において行う。また、仕上工程では、図８に示すように、外壁１４の開口部１４ａに鋼製扉１４ｂを取り付けることもできる。これにより、開口部１４ａからの水の侵入を防ぐことも可能になる。鋼製扉１４ｂにおける外壁１４との接触部分には、図示省略のパッキンなどを施して水密性を高めることもできる。また、鋼製扉１４ｂを閉じた際に内側となる部分にカンヌキなどを設けておくことも好ましい。これにより、鋼製扉１４ｂに激しい水流がぶつかったとしても十分に耐えることが可能になる。
【００３１】
［その他］
ここまでは、二階建ての木造家屋１２（図２を参照）の一階部分と二階部分の全ての外面を鉄筋コンクリート造の外壁１４（図７を参照）で囲った例について説明したが、本発明の技術的範囲はこれに限定されない。すなわち、木造家屋１２は、平屋建てであってもよいし、三階建て以上であってもよい。また、これらの木造家屋１２における地面から屋根１２ａまでの全ての高さに亘って鉄筋コンクリート造の外壁１４を設ける必要はなく、地面から所定高さまでのみを外壁１４で覆うものであってもよい。例えば、二階建ての木造家屋１２における一階部分のみを鉄筋コンクリート造の外壁１４で囲う場合などが例示される。木造家屋１２の地面から途中の高さまでのみを外壁１４で覆う場合には、外壁１４の上端は、軒先などで覆っておくとよい。鉄筋コンクリート造の外壁１４をどの高さまで設けるかは、家屋１０を建てる場所の海抜や地形、あるいは周辺環境などを考慮して適宜決定する。
【００３２】
さらに、ここまでは、木造家屋１２（図２を参照）の四方全ての外面を鉄筋コンクリート造の外壁１４で囲った例について説明したが、本発明の技術的範囲はこれに限定されない。すなわち、木造家屋１２における津波が進行してくると予想される側（通常、海側）の外面のみを鉄筋コンクリート造の外壁１４で覆うようにしてもよい。図９は、本発明の建築方法で建築された家屋１０の施工方向を説明するための図である。本発明の建築方法で家屋１０を施工する場合には、図９に示すように、家屋１０の対角線がそれを建てる地点の津波予想進行方向と一致する向きとなるように、家屋１０を施工すると好ましい。これにより、家屋１０に到達した津波による圧力が家屋１０にまともに印加されないようにして、家屋１０の耐津波性をさらに向上することができる。このような向きで家屋１０を施工する場合には、海側の２面のみを鉄筋コンクリート造の外壁１４で覆うようにしてもよい。ただし、反対側の開口部からの浸水は免れないので、津波による被害を最小限に食い止めるためには、やはり、木造家屋１２の四方全ての外面を鉄筋コンクリート造の外壁１４で覆うことが好ましい。海岸に近く激しい勢いで津波が到達することが想定される地点に家屋１０を施工する場合には、家屋１０の外壁１４から海側に所定間隔を隔てた場所に、外壁１４と同様の形態の鉄筋コンクリート造の塀を海側の外壁１４と平行になる向きで施工しておくことも好ましい。これにより、家屋１０に到達する津波の勢いを著しく低下させ、家屋１０の耐津波性をさらに高めることができる。
【符号の説明】
【００３３】
１０    家屋（鉄筋コンクリート外装木造建築物）
１１    基礎
１１ａ    立ち上がり部
１１ｂ    底版部
１１ｂ１  底版部
１１ｂ２  底版部
１１ｃ    穴
１２      木造家屋（木造建築物）
１２ａ    屋根
１２ｂ    剛性板
１２ｂ１  板状部
１２ｂ２  板状部
１２ｂ３  壁部
１２ｂ４  中空部（空気層）
１２ｃ    開口部
１２ｄ    梁
１２ｅ    柱
１３      鉄筋
１４      コンクリート（鉄筋コンクリート造の外壁）
１４ａ    開口部
１４ｂ    鋼製扉
２０      型枠
【図１】
0005932345.tif 000002
【図２】
0005932345.tif 000003
【図３】
0005932345.tif 000004
【図４】
0005932345.tif 000005
【図５】
0005932345.tif 000006
【図６】
0005932345.tif 000007
【図７】
0005932345.tif 000008
【図８】
0005932345.tif 000009
【図９】
0005932345.tif 000010
【図１０】
0005932345.tif 000011
【図１１】
0005932345.tif 000012
【図１２】
0005932345.tif 000013